(57)【要約】【課題】患者のデータの信頼度を考慮できる遠隔診療システムを提供する。【解決手段】遠隔診療システム１００に含まれる患者用端末１は、通信ネットワークを通じてサーバ装置３に接続され、ユーザの生理状態を表す生体情報を、該生理状態を測定するセンシング装置２から取得する通信部１１と、生体情報を、ユーザからの入力を受け付けることによって取得する入力部１２と、通信部１１が取得する生体情報と入力部１２が取得する生体情報との区別をつける制御部１３とを備えており、通信部１１は区別をつけた生体情報をサーバ装置３に送信する構成である。【選択図】図１
2012008931.tif 000002
【特許請求の範囲】
【請求項１】
通信ネットワークを通じてサーバ装置に接続される生体情報処理装置であって、
ユーザの生理状態を表す生体情報を、該生体情報を測定する測定装置から取得する情報取得手段と、
上記生体情報を、ユーザからの入力を受け付けることによって取得する入力受付手段と、
上記情報取得手段が取得する上記生体情報と上記入力受付手段が取得する上記生体情報との区別をつける処理手段と、
区別をつけた上記生体情報を上記サーバ装置に送信する送信手段と、
を備えていることを特徴とする生体情報処理装置。
【請求項２】
上記情報取得手段が、上記測定装置に関する測定装置情報をさらに該測定装置から取得し、
上記送信手段が、上記測定装置情報を上記サーバ装置に送信することを特徴とする請求項１に記載の生体情報処理装置。
【請求項３】
通信ネットワークを通じてサーバ装置に接続される生体情報処理装置であって、
ユーザの生理状態を表す生体情報を、該生体情報を測定する測定装置から取得する情報取得手段、または、上記生体情報を、ユーザからの入力を受け付けることによって取得する入力受付手段と、
上記情報取得手段が取得する上記生体情報と上記入力受付手段が取得する上記生体情報との区別をつける処理手段と、
区別をつけた上記生体情報を上記サーバ装置に送信する送信手段と、
を備えていることを特徴とする生体情報処理装置。
【請求項４】
ユーザの生理状態を表す生体情報を取得する生体情報処理装置によって取得された該生体情報を受信する受信手段と、
上記生体情報が、上記生体情報を測定する測定装置から得られたものであるか、ユーザの入力によって得られたものであるかを判定する判定手段と、
上記判定手段の判定結果に基づいて、上記測定装置から得られた生体情報およびユーザの入力によって得られた生体情報の区別をつけて、上記生体情報を表示画面に表示させる表示手段と、
を備えていることを特徴とする生体情報表示装置。
【請求項５】
上記表示手段が、上記測定装置から得られた上記生体情報の表示方法とユーザの入力によって得られた上記生体情報の表示方法とを異ならせることを特徴とする請求項４に記載の生体情報表示装置。
【請求項６】
上記測定装置から得られた上記生体情報を表す表示内容と、ユーザの入力によって得られた上記生体情報を表す表示内容との、表示画面上での表示色を変えていることを特徴とする請求項５に記載の生体情報表示装置。
【請求項７】
上記測定装置から得られた上記生体情報を表す表示内容と、ユーザの入力によって得られた上記生体情報を表す表示内容との、表示画面上での符号を変えていることを特徴とする請求項５に記載の生体情報表示装置。
【請求項８】
上記受信手段が、上記測定装置に関する測定装置情報をさらに受信し、
上記表示手段が、上記測定装置情報を表示画面に表示させることを特徴とする請求項４〜７の何れか１項に記載の生体情報表示装置。
【請求項９】
上記受信手段が、ユーザの医療情報をさらに受信し、
上記表示手段が、上記医療情報を表示画面にさらに表示させることを特徴とする請求項４〜８の何れか１項に記載の生体情報表示装置。
【請求項１０】
上記表示手段が、複数種の情報を表示画面に複合表示させることを特徴とする請求項４〜９の何れか１項に記載の生体情報表示装置。
【請求項１１】
ユーザの生理状態を表す生体情報を測定する測定装置と、生体情報処理装置と、生体情報表示装置と、該生体情報処理装置および該生体情報表示装置とネットワークを通じて通信するサーバ装置とを含む遠隔診療システムであって、
上記生体情報処理装置は、
ユーザの生理状態を表す生体情報を、上記測定装置から取得する情報取得手段と、
上記生体情報を、ユーザからの入力を受け付けることによって取得する入力受付手段と、
上記情報取得手段が取得する上記生体情報と上記入力受付手段が取得する上記生体情報との区別をつける処理手段と、
区別をつけた上記生体情報を上記サーバ装置に送信する送信手段と、を備えており、
上記生体情報表示装置は、
上記生体情報を上記サーバ装置から受信する受信手段と、
上記生体情報が、上記生体情報処理装置が上記測定装置から取得したものであるか、上記生体情報処理装置がユーザからの入力を受け付けることによって取得したものであるかを判定する判定手段と、
上記判定手段の判定結果に基づいて、上記測定装置から得られた生体情報およびユーザの入力によって得られた生体情報の区別をつけて、上記生体情報を表示画面に表示させる表示手段と、を備えていることを特徴とする遠隔診療システム。
【請求項１２】
複数の上記測定装置を含んでいることを特徴とする請求項１１に記載の遠隔診療システム。
【請求項１３】
複数の上記生体情報処理装置を含んでいることを特徴とする請求項１２に記載の遠隔診療システム。
【請求項１４】
ユーザの生理状態を表す生体情報を取得する生体情報処理装置が、
上記生体情報を、ユーザの生理状態を表す生体情報を測定する測定装置から取得する情報取得工程と、
上記生体情報を、ユーザからの入力を受け付けることによって取得する入力受付工程と、
上記情報取得工程において取得する上記生体情報と上記入力受付工程において取得する上記生体情報との区別をつける処理工程と、
区別をつけた上記生体情報をサーバ装置に送信する送信工程と、
上記生体情報を表示する生体情報表示装置が、
上記生体情報を上記サーバ装置から受信する受信工程と、
上記生体情報が、上記生体情報処理装置が上記測定装置から取得したものであるか、上記生体情報処理装置がユーザからの入力を受け付けることによって取得したものであるかを判定する判定工程と、
判定結果に基づいて、上記測定装置から得られた生体情報およびユーザの入力によって得られた生体情報の区別をつけて、表示画面に表示させる表示工程と、
を含むことを特徴とする遠隔診療方法。
【請求項１５】
請求項１〜３の何れか１項に記載の生体情報処理装置を動作させる処理制御プログラムであって、コンピュータを上記各手段として機能させるための処理制御プログラム。
【請求項１６】
請求項４〜１０の何れか１項に記載の生体情報表示装置を動作させる表示制御プログラムであって、コンピュータを上記各手段として機能させるための表示制御プログラム。
【請求項１７】
請求項１５に記載の処理制御プログラムを記録しているコンピュータ読み取り可能な記録媒体。
【請求項１８】
請求項１６に記載の表示制御プログラムを記録しているコンピュータ読み取り可能な記録媒体。
【発明の詳細な説明】
【技術分野】
【０００１】
本発明は、在宅治療患者および通院患者などの患者と、医師および管理栄養士などの専門家との間での遠隔診療に好適に用いられる生体情報処理装置、生体情報表示装置、および遠隔診療システムに関する。
【背景技術】
【０００２】
昨今の在宅治療患者および通院患者に対する主な診療方法は、患者が定期的に医療機関に通院し、医療機関にある医療機器および健康機器によって測定した結果をもとに、医師などの専門家が患者の状態を判断するという方法である。このような診療方法においては、通院患者が実際の診察時間に対し多くの時間を待ち時間に費やさなければならないという問題がある。また、同じ疾病で複数の医療機関を受診する場合には、同じような検査を複数の医療機関にて行わなければならず、時間の浪費に加え、医療費も増大してしまうという問題がある。
【０００３】
上記の問題を改善するために、患者が自身の家庭にある健康機器を利用して日々の健康状態を測定し、その結果を診断に役立てる方法が考えられる。しかしながら、診断する専門家がその結果を患者に直接確認しなければならず、また簡単に確認することができないため、診断に役立てるまでには至っていない。
【０００４】
これらの問題を解決するために、在宅で患者が測定した結果を利用して専門家が遠隔で診断するシステムが検討されている。
【０００５】
例えば特許文献１には、遠隔診療システムに関する技術が開示されている。特許文献１に記載の遠隔診療システムは、患者と医者との間で主に慢性疾患の遠隔診療のために用いるのに好適な、患者側端末および医者側端末ならびにこれら端末とネットワークを通じて通信する遠隔診療用サーバを備えるシステムである。このシステムによれば、患者は、自宅にいながらにして医師が健康管理をしてくれるという安心感を得ることができ、健康管理の継続も容易になる。
【０００６】
また、特許文献２には、健康管理システムに関する技術が開示されている。特許文献２に記載の健康管理システムでは、生活習慣病患者およびこの予備軍であるケアー希望者に対し、医療機関などとのネットワークを構築し、自らあるいは医師などによる日常の健康管理をサポートし、健康管理に必要な医療情報を提供するサービスを可能にしている。このシステムによれば、患者が自宅でバイタルセンサを用いて測定した生体情報、医療機関での問診結果および健康診断結果ならびに患者の個人情報などから演算した適切な情報をフィードバックすることによって、その情報を健康管理に役立てることができる。
【先行技術文献】
【特許文献】
【０００７】
【特許文献１】特開２００３−１７８１４２号公報（平成１５年６月２７日公開）
【特許文献２】特開２００２−５６０９９号公報（平成１４年２月２０日公開）
【発明の概要】
【発明が解決しようとする課題】
【０００８】
しかしながら、上記の従来技術では、以下のような課題がある。
【０００９】
特許文献１に記載の遠隔診断システムは、ネットワーク接続により患者側端末から遠隔診療用サーバに通知される患者情報に、家庭にある健康機器で測定した患者の生体情報が含まれる構成ではない。そのため、医師などの専門家は通知された患者情報の信頼性を考慮して診断することができない。
【００１０】
また、特許文献２に記載の健康管理システムでは、専門家は患者がどのような機器を利用してデータを取得しているのか、本当に正しくデータを取得しているのかを把握することが困難である。そのため、専門家が患者情報の信頼性を考慮して診断することができない。
【００１１】
そこで、本発明は上記の問題点に鑑みてなされたものであり、その目的は、患者のデータの信頼度を考慮できる遠隔診療システムならびに遠隔診療システムを実現する情報処理装置および情報表示装置を提供することにある。
【課題を解決するための手段】
【００１２】
本発明に係る生体情報処理装置は、上記課題を解決するために、通信ネットワークを通じてサーバ装置に接続される生体情報処理装置であって、ユーザの生理状態を表す生体情報を、該生理状態を測定する測定装置から取得する情報取得手段と、上記生体情報を、ユーザからの入力を受け付けることによって取得する入力受付手段と、上記情報取得手段が取得する上記生体情報と上記入力受付手段が取得する上記生体情報との区別をつける処理手段と、区別をつけた上記生体情報を上記サーバ装置に送信する送信手段と、を備えている構成である。
【００１３】
上記構成によれば、生体情報処理装置は、生理状態を表す生体情報を、測定装置から直接取得することができるとともに、ユーザの入力を受け付けることによっても取得することができる。生体情報処理装置は、測定装置から直接取得した生体情報と、ユーザの入力を受け付けることによって取得した生体情報との区別をつけて各生体情報をサーバ装置に送信することができる。
【００１４】
したがって、他のユーザがサーバ装置に送信された生体情報を利用する際に、その生体情報が測定装置から直接取得されたものであるか、ユーザの入力によって取得されたものであるかを区別して利用することができる。そのため、医師などの専門家が、患者の生体情報に基づき患者の身体状態を判断する際に、各生体情報の信頼度を考慮して判断することができるため、より確かな判断をすることが可能となる。
【００１５】
また、本発明に係る生体情報処理装置において、上記情報取得手段が、上記測定装置に関する測定装置情報をさらに該測定装置から取得し、上記送信手段が、上記測定装置情報を上記サーバ装置に送信することが好ましい。
【００１６】
上記構成によれば、生体情報処理装置は生体情報を測定した測定装置の情報を自動で取得できる。そのため、医師などの専門家が、患者の生体情報に基づき患者の身体状態を判断する際に、その生体情報を測定した測定装置が如何なるものであるかを考慮して判断することができるため、より確かな判断をすることが可能となる。
【００１７】
本発明に係る生体情報処理装置は、上記課題を解決するために、通信ネットワークを通じてサーバ装置に接続される生体情報処理装置であって、ユーザの生理状態を表す生体情報を、該生体情報を測定する測定装置から取得する情報取得手段、または、上記生体情報を、ユーザからの入力を受け付けることによって取得する入力受付手段と、上記情報取得手段が取得する上記生体情報と上記入力受付手段が取得する上記生体情報との区別をつける処理手段と、区別をつけた上記生体情報を上記サーバ装置に送信する送信手段と、を備えている構成でもあり得る。
【００１８】
上記構成によれば、生体情報処理装置は、送信する生体情報が、測定装置から直接取得した生体情報であるか、ユーザの入力を受け付けることによって取得した生体情報であるかの区別をつけて、サーバ装置に送信することができる。
【００１９】
したがって、他のユーザがサーバ装置に送信された生体情報を利用する際に、その生体情報が測定装置から直接取得されたものであるか、ユーザの入力によって取得されたものであるかを区別して利用することができる。そのため、医師などの専門家が、患者の生体情報に基づき患者の身体状態を判断する際に、各生体情報の信頼度を考慮して判断することができるため、より確かな判断をすることが可能となる。
【００２０】
本発明に係る生体情報表示装置は、上記課題を解決するために、ユーザの生理状態を表す生体情報を取得する生体情報処理装置によって取得された該生体情報を受信する受信手段と、上記生体情報が、上記生体情報を測定する測定装置から得られたものであるか、ユーザの入力によって得られたものであるかを判定する判定手段と、上記判定手段の判定結果に基づいて、上記測定装置から得られた生体情報およびユーザの入力によって得られた生体情報の区別をつけて、上記生体情報を表示画面に表示させる表示手段と、を備えている構成である。
【００２１】
上記構成によれば、生体情報表示装置は、生体情報処理装置が取得した生体情報を受信し、受信した生体情報を表示画面に表示する。その際、その生体情報が、生体情報を測定する測定装置から得られたものであるか、ユーザの入力によって得られたものであるかを判定し、その判定結果に基づいて、測定装置から得られた生体情報およびユーザの入力によって得られた生体情報の区別をつけて表示する。
【００２２】
したがって、医師などの専門家が生体情報表示装置を利用して、患者の生体情報から患者の身体状態を判断する際に、各生体情報の信頼度を考慮して判断することができるため、より確かな判断をすることが可能となる。
【００２３】
なお、測定装置から得られた生体情報およびユーザの入力によって得られた生体情報の区別をつけて表示するとは、上記表示手段が、上記測定装置から得られた上記生体情報の表示方法とユーザの入力によって得られた上記生体情報の表示方法とを異ならせることであり得る。
【００２４】
上記構成によれば、測定装置から得られた生体情報の表示方法とユーザの入力によって得られた生体情報の表示方法とが異なっているため、医師などの専門家がいずれの生体情報であるかを容易に判別することができる。
【００２５】
また、生体情報の表示方法を異ならせるとは、上記測定装置から得られた上記生体情報を表す表示内容と、ユーザの入力によって得られた上記生体情報を表す表示内容との、表示画面上での表示色を変えていることであり得る。あるいは、上記測定装置から得られた上記生体情報を表す表示内容と、ユーザの入力によって得られた上記生体情報を表す表示内容との、表示画面上での符号を変えていることであり得る。
【００２６】
また、本発明に係る生体情報表示装置において、上記受信手段が、上記測定装置に関する測定装置情報をさらに受信し、上記表示手段が、上記測定装置情報を表示画面に表示させることが好ましい。
【００２７】
上記構成によれば、医師などの専門家が、患者の生体情報に基づき患者の身体状態を判断する際に、その生体情報を測定した測定装置が如何なるものであるかを考慮して判断することができるため、より確かな判断をすることが可能となる。
【００２８】
また、本発明に係る生体情報表示装置において、上記受信手段が、ユーザの医療情報をさらに受信し、上記表示手段が、上記医療情報を表示画面にさらに表示させることが好ましい。
【００２９】
上記構成によれば、医師などの専門家がユーザの医療情報を閲覧しながらユーザの生体情報を閲覧することができるため、より診療がしやすくなる。
【００３０】
また、本発明に係る生体情報表示装置において、上記表示手段が、複数種の情報を複合表示させることが好ましい。
【００３１】
上記構成によれば、医師などの専門家が、複数種の情報を一度に閲覧することができるため、患者の身体状態の判断がより容易にできるようになる。
【００３２】
なお、生体情報処理装置および生体情報表示装置を含む遠隔診療システムも本発明の範疇に含まれる。
【００３３】
すなわち、本発明に係る遠隔診療システムは、ユーザの生理状態を表す生体情報を測定する測定装置と、生体情報処理装置と、生体情報表示装置と、該生体情報処理装置および該生体情報表示装置とネットワークを通じて通信するサーバ装置とを含む遠隔診療システムであって、上記生体情報処理装置は、ユーザの生理状態を表す生体情報を、上記測定装置から取得する情報取得手段と、上記生体情報を、ユーザからの入力を受け付けることによって取得する入力受付手段と、上記情報取得手段が取得する上記生体情報と上記入力受付手段が取得する上記生体情報との区別をつける処理手段と、区別をつけた上記生体情報を上記サーバ装置に送信する送信手段と、を備えており、上記生体情報表示装置は、上記生体情報を上記サーバ装置から受信する受信手段と、上記生体情報が、上記生体情報処理装置が上記測定装置から取得したものであるか、上記生体情報処理装置がユーザからの入力を受け付けることによって取得したものであるかを判定する判定手段と、上記判定手段の判定結果に基づいて、上記測定装置から得られた生体情報およびユーザの入力によって得られた生体情報の区別をつけて、上記生体情報を表示画面に表示させる表示手段と、を備えている構成である。
【００３４】
また、本発明に係る遠隔診療システムでは、複数の上記測定装置を含んでいる構成であり得る。
【００３５】
上記構成によれば、複数種の生体情報を取得することができ、医師などの専門家が吹く数種の生体情報を利用して、患者の身体状態を判断することができる。これにより専門家がより確かな判断を行うことができるようになる。
【００３６】
また、本発明に係る遠隔診療システムでは、複数の上記生体情報処理装置を含んでいる構成であり得る。
【００３７】
上記構成によれば、専門家は本遠隔診療システムを利用することにより、多くの患者に対して遠隔診療を行うことができるようになる。
【００３８】
本発明に係る遠隔診療方法は、上記課題を解決するために、ユーザの生理状態を表す生体情報を取得する生体情報処理装置が、上記生体情報を、ユーザの生理状態を表す生体情報を測定する測定装置から取得する情報取得工程と、上記生体情報を、ユーザからの入力を受け付けることによって取得する入力受付工程と、上記情報取得工程において取得する上記生体情報と上記入力受付工程において取得する上記生体情報との区別をつける処理工程と、区別をつけた上記生体情報をサーバ装置に送信する送信工程と、上記生体情報を表示する生体情報表示装置が、上記生体情報を上記サーバ装置から受信する受信工程と、上記生体情報が、上記生体情報処理装置が上記測定装置から取得したものであるか、上記生体情報処理装置がユーザからの入力を受け付けることによって取得したものであるかを判定する判定工程と、判定結果に基づいて、上記測定装置から得られた生体情報およびユーザの入力によって得られた生体情報の区別をつけて表示画面に表示させる表示工程と、を含む構成である。
【００３９】
また、上記生体情報処理装置および上記生体情報表示装置はそれぞれ、コンピュータによって実現してもよい。この場合、コンピュータを上記各手段として動作させることにより上記生体情報処理装置または上記生体情報表示装置をコンピュータにおいて実現する処理制御プログラムおよび表示制御プログラム、およびこれら制御プログラムを記録したコンピュータ読み取り可能な記録媒体も、本発明の範疇に入る。
【発明の効果】
【００４０】
以上のように、本発明に係る生体情報処理装置は、測定装置から直接取得する生体情報と、ユーザの入力を受け付けることによって取得する生体情報とに区別をつける。
【００４１】
また、本発明に係る生体情報表示装置は、生体情報処理装置が測定装置から直接取得する生体情報と、ユーザの入力を受け付けることによって取得する生体情報とを区別して表示する。
【００４２】
したがって、生体情報を用いて患者の生理状態を判断する専門家は、その生体情報の信頼性を考慮して診療を行うことができる。
【図面の簡単な説明】
【００４３】
【図１】本実施の形態における遠隔診療システムに含まれる各装置および各端末の各構成を示すブロック図である。
【図２】本実施の形態に係る遠隔診療システムの構成を示す概略構成図である。
【図３】本実施の形態に係る専門家用表示装置に表示される表示画面の一例を示す図である。
【図４】本実施の形態に係る遠隔診療システムにおける初期設定時の処理の流れを示すシーケンス図である。
【図５】本実施の形態に係る遠隔診療システムにおける生体情報を取得、保存する際の処理の流れを示すシーケンス図である。
【図６】本実施の形態に係る遠隔診療システムにおける患者用端末に診療結果の情報を表示する際の処理の流れを示すシーケンス図である。
【図７】本実施の形態に係る遠隔診療システムにおける専門家用表示装置に生体情報を表示する際の処理の流れを示すシーケンス図である。
【図８】本実施の形態に係る遠隔診療システムにおいて診療結果を格納、通知する際の処理の流れを示すシーケンス図である。
【発明を実施するための形態】
【００４４】
本発明に係る遠隔診療システムの一実施形態について、図１〜図８に基づいて説明すれば以下の通りである。
【００４５】
（遠隔診療システムの構成）
はじめに、本実施の形態に係る遠隔診療システムについて、図２を参照して以下に説明する。
【００４６】
図２は、本実施の形態に係る遠隔診療システムの構成を示す概略構成図である。図２に示すように、遠隔診療システム１００は、患者用端末（生体情報処理装置）１と、センシング装置（測定装置）２と、サーバ装置３と、専門家用表示装置（生体情報表示装置）４とを含んで構成されている。
【００４７】
患者用端末１とセンシング装置２とは、有線または無線通信により各種データを送信または送受信できるように構成されている。この通信方式としては、例えば、Ｂｌｕｅｔｏｏｔｈ（登録商標）、赤外線通信方式および無線ＬＡＮなどの無線データ通信方式、ならびにケーブルおよびＵＳＢなどを介しての有線接続方式などが挙げられる。なお、患者用端末１における通信機能については、患者用端末１内に含まれていることに限定されず、セットトップボックスおよびホームゲートウェイなどのような表示機能を有さない装置に含まれていてもよい。図２には、１つのセンシング装置２が示されているが、複数のセンシング装置２が患者用端末１とデータの送受信を行ってもよい。
【００４８】
患者用端末１とサーバ装置３とは、インターネットなどのネットワーク５を介して互いに接続されており、ネットワーク５を介してデータのやり取りを行う。図２では、サーバ装置３には１つの患者用端末１がネットワーク接続されているが、複数の患者用端末１がサーバ装置３とネットワーク接続を行ってもよい。
【００４９】
専門家用表示装置４とサーバ装置３とは、インターネットなどのネットワーク６を介して互いに接続されており、ネットワーク６を介してデータのやり取りを行う。
【００５０】
次に、遠隔診療システム１００に含まれる各構成について図１を参照して説明する。図１は、患者用端末１、センシング装置２、サーバ装置３および専門家用表示装置４の各構成を示すブロック図である。
【００５１】
（患者用端末）
まず、患者用端末１について説明する。図１に示すように、患者用端末１は、通信部（情報取得手段、送信手段）１１、入力部（入力受付手段）１２、制御部（処理手段）１３、記憶部１４、および表示部１５を備えている。また、患者用端末１は、操作装置７およびＬＣＤ（液晶ディスプレイ）などのディスプレイ８に接続されている。なお、操作装置７およびディスプレイ８は患者用端末１と一体的に構成されていてもよい。患者用端末１としては、例えば、テレビジョン装置などを用いることができる。
【００５２】
通信部１１は、センシング装置２と有線または無線でデータを送受信して、センシング装置２が測定した患者の生体情報およびセンシング装置２の機器情報（測定装置情報）などのデータを、センシング装置２から取得するものであり、さらに、サーバ装置３とネットワーク接続で種々のデータを送受信するものである。
【００５３】
入力部１２は、操作装置７を用いて患者自身が直接入力した患者の生体情報およびユーザ情報などのデータを受け付けるものである。
【００５４】
制御部１３は、通信部１１および入力部１２から取得した生体情報などの種々のデータを記憶部１４に記憶、蓄積させるものである。制御部１３は、生体情報を記憶部１４に記憶させる際、通信部１１から取得したデータと入力部１２から取得したデータとの区別をつけて記憶部１４に記憶させる。制御部１３はさらに、記憶部１４からデータを抽出して、表示部１５を介してデータをディスプレイ８の表示画面に表示させるものである。
【００５５】
表示部１５は、生体情報や機器情報などを画像情報や文字情報としてディスプレイ８に表示させて、種々のデータの内容を患者に提示するものである。なお、本実施の形態では、ディスプレイ８に電子表示させているが、データの内容を印刷して患者に提示するものでもよく、あるいは手書き情報として患者に提示してもよい。
【００５６】
記憶部１４は、種々のデータを記憶するための記憶装置である。記憶装置としては、例えば、ハードディスク、フラッシュメモリ、およびＲＡＭなどを用いることができる。記憶部１４は、記憶する情報の種別に対応して、ユーザ情報蓄積エリア、機器情報蓄積エリア、および生体情報蓄積エリアを含んでいる。
【００５７】
本実施の形態では、通信部１１において、センシング装置２からの生体情報の受信をおこなうとともに、入力部１２において、ユーザからの生体情報の入力を受け付けているが、何れか一方のみにおいて生体情報を受信するまたは受け付けるものであってもよい。この場合であっても、制御部１３は、その生体情報が、通信部１１から取得したデータであるか、入力部１２から取得したデータであるかの区別をつけて記憶部１４に記憶させる。
【００５８】
（センシング装置）
次にセンシング装置２について説明する。図１に示すように、センシング装置２は、通信部２１、記憶部２２、および測定部２３を備えている。
【００５９】
測定部２３は、患者の生体情報を測定する任意のセンサを少なくとも１つ含んで構成されている。患者の生体情報を測定するセンサとしては、脈拍センサ、血圧センサおよび体温センサなど、測定値そのものが定量的に評価できる測定値であるセンサ、ならびに活動度センサおよび疲労度センサなど、測定値がそのままでは定量的に評価できない測定値であるセンサ、あるいは他の公知のセンサを利用できる。なお、活動度センサおよび疲労度センサとしては加速度センサを用いることができる。
【００６０】
活動度センサおよび疲労度センサなどそのままでは測定値を定量的に評価できないセンサを用いる場合、測定値を定量的に評価できる指標に変換した後に、データ送信されればよい。例えば、定量的な評価が難しい活動度については、加速度センサで測定した加速度を、運動強度を表す「ＭＥＴＳ（ｍｅｔａｂｏｌｉｃ  ｅｑｕｉｖａｌｅｎｔｓ）値」という定量的に評価できる指標に変換することによって、医師などの専門家が患者の状態の判断に使用できるようになる。
【００６１】
また、測定部２３は、患者の生体情報を測定するセンサだけではなく、気温（室温）、湿度、およびダストレベルなど部屋の部屋の環境を測定するセンサを含んでいてもよい。
【００６２】
通信部２１は、患者用端末１との間で、有線または無線通信によって、各種データを送受信するものである。
【００６３】
記憶部２２は、種々のデータを記憶するための記憶装置である。患者用端末１の記憶部１４と同様に、ハードディスク、フラッシュメモリ、およびＲＡＭなどを用いることができる。
【００６４】
（サーバ装置）
次にサーバ装置３について説明する。図１に示すように、サーバ装置３は、通信部３１、解析部３２、制御部３３、および記憶部３４を備えている。
【００６５】
通信部３１は、患者用端末１および専門家用表示装置４とネットワーク接続で種々のデータを送受信するものである。
【００６６】
記憶部３４は、通信部３１から取得した種々のデータが保存されたデータベースである。記憶部３４は、ユーザ情報エリア、機器情報エリア、および生体情報エリアの分かれており、それぞれにおいて各データを記憶管理する。
【００６７】
解析部３２は、ユーザ情報、機器情報および生体情報などの患者用端末１から取得したデータ、ならびに電子カルテなどの医療情報など専門家用表示装置４から取得したデータをもとに、患者または専門家に提示する患者用の情報および専門家用の情報を生成するものである。
【００６８】
制御部３３は、通信部３１から取得した種々のデータを記憶部３４に記憶させるものである。また、患者用端末１または専門家用表示装置４からのデータ要求に応じて、解析部３２が生成した情報を通信部３１から送信させるものである。
【００６９】
（専門家用表示装置４）
次に専門家用表示装置４について説明する。図１に示すように、専門家用表示装置４は、通信部（受信手段）４１、入力部４２、制御部（判定手段）４３、記憶部４４、および表示部（表示手段）４５を備えている。また、専門家用表示装置４は、キーボードなどの操作装置９およびＬＣＤなどのディスプレイ１０に接続されている。なお、操作装置９およびディスプレイ１０は専門家用表示装置４と一体的に構成されていてもよい。専門家用表示装置４としては、例えば、パーソナルコンピュータ装置などを用いることができる。
【００７０】
通信部４１は、サーバ装置３とネットワーク接続で種々のデータを送受信するものである。
【００７１】
入力部４２は、操作装置９を用いて専門家が入力した患者主観的情報、専門家客観的情報、診断結果、および治療計画などのデータ入力を受け付けるものである。
【００７２】
制御部４３は、通信部４１および入力部４２から取得した種々のデータを記憶部４４に、記憶、蓄積させるものである。制御部４３はさらに、記憶部４４からデータを抽出して、そのデータを表示部４５を介してディスプレイ１０の表示画面に表示させるものである。
【００７３】
表示部４５は、データを画像情報や文字情報としてディスプレイ１０の表示画面に表示させて、データの内容を専門家に提示するものである。なお、本実施の形態では、ディスプレイ１０に電子表示させているが、データの内容を印刷して専門家に提示するものでもよく、あるいは手書き情報として専門家に提示してもよい。
【００７４】
記憶部４４は、種々のデータを記憶するための記憶装置である。記憶装置としては、例えば、ハードディスク、フラッシュメモリ、およびＲＡＭなどを用いることができる。記憶部４４は、記憶する情報の種別に対応して、ユーザ情報蓄積エリア、機器情報蓄積エリア、および生体情報蓄積エリアを含んでいる。
【００７５】
（遠隔診療システムの概要）
次に、遠隔診療システム１００の概要について説明する。
【００７６】
遠隔診療システム１００では、患者用端末１は患者向けに加工された情報を表示し、専門家用表示装置４は専門家向けに加工された情報を表示する。
【００７７】
サーバ装置３では、センシング装置２から患者用端末１に送信された患者の生体情報、環境情報および機器情報、患者用端末１に患者自身が入力した生体情報およびユーザ情報、ならびに専門家用表示装置４に専門家が入力した患者の生体情報および診断結果などの電子カルテ情報などが、ユーザＩＤによって一元管理されて蓄積されている。
【００７８】
専門家用表示装置４がサーバ装置３にデータ送信を要求した場合には、サーバ装置３は、データベースから要求に基づくデータを抽出して専門家用表示装置４に送信する。サーバ装置３が専門家用表示装置４に生体情報を送信する場合、患者用端末１がセンシング装置２から自動的に取得した生体情報であるか、患者が自ら患者用端末１に入力して得られた生体情報であるか、あるいは専門家が専門家用表示装置４に入力して得られた生体情報であるかを表すパラメータをそれぞれに付随させて送信する。なお、患者用端末１がセンシング装置２から自動的に取得した生体情報であるか、患者が自ら患者用端末１に入力して得られた生体情報であるかのパラメータは、患者用端末１において付加される。専門家用表示装置４では、このパラメータに応じて、受信した生体情報の表示方法を変化させる。
【００７９】
例えば、センシング装置２の測定部２３が体重計であり、すなわち生体情報が患者の体重データであり、体重を継続的に測定する場合、生体情報の表示方法として、折れ線グラフなどを利用して表示することがある。このとき、体重データの取得方法毎に折れ線グラフのプロット（符号）種類を変更することによって、体重データの由来を専門家に分かりやすく表示することができる。図３は、専門家用表示装置４のディスプレイ１０に表示される表示画面の一例を示す図である。図３に示す表示画面５０では、患者名や疾患名とともに、電子カルテ情報や患者の生体情報およびセンシング装置２の機器情報など複数の情報が複合表示されている。表示画面５０は、電子カルテ情報を表示する電子カルテ領域５３と、患者の生体情報や機器情報などを表示する在宅患者情報領域５２とに分かれている。表示画面５０では、在宅患者情報領域５２に、体重データが折れ線グラフとして表示されている。表示画面５０では、患者用端末１がセンシング装置２から自動的に取得した信頼性のより高いデータを黒丸プロットとして、そして患者が自ら患者用端末１に入力した体重データを白四角プロットとして表示している。
【００８０】
また、センシング装置２の測定部２３が歩数計であり、生体情報が消費カロリーを示している場合、生体情報の表示方法として、棒グラフなどを利用して表示することがある。このとき、消費カロリーデータの取得方法毎に棒グラフの色を変更することによって、消費カロリーデータの由来を専門家に分かりやすく表示することができる。表示画面５０では、生体情報として体重データのほかに消費カロリーデータも在宅患者情報領域５２に表示されており、棒グラフとして表示されている。表示画面５０では、患者用端末１がセンシング装置２から自動的に取得した信頼性のより高いデータに由来する消費カロリーを黒棒として、そして患者が自ら患者用端末１に入力した歩数データに基づく消費カロリーを白棒として表示している。なお、表示画面５０では、歩数に基づく消費カロリーのほかに、患者が自分自身で入力した他の運動データに基づく消費カロリーを灰色棒として表示している。
【００８１】
表示画面５０にはさらに、生体情報の測定に用いられたセンシング装置２がどのメーカーのどの健康機器（型番）であるかを示す機器情報、および患者が自ら運動データを入力した場合に、その運動データがどのような種類のものであるかを示す情報が表示されている。
【００８２】
以上により、専門家は、患者の生体情報がどのようにして取得されたものかを確認することができるため、データの信頼性を考慮して診断することができる。
【００８３】
したがって、遠隔診療システム１００を利用すれば、専門家に患者情報を最適な方法で提供することができ、遠隔診療における診断の精度を向上させることができる。
【００８４】
（遠隔診療システムにおける処理）
遠隔診療システム１００において実行される処理の一例について、図４〜図８を参照して以下に説明する。
【００８５】
＜初期設定＞
まず、遠隔診療システム１００における初期設定について図４を参照して説明する。初期設定では、ユーザ（患者）が、センシング装置２の機器情報およびユーザの個人情報などをサーバ装置３に登録する。図４は、遠隔診療システム１００における初期設定の処理の流れを示すシーケンス図である。
【００８６】
ユーザは、まず、患者用端末１の遠隔診療用アプリケーションを起動する。このアプリケーションが起動されると、図４に示す各処理が実行される。アプリケーションは任意の方法によって取得することができる。
【００８７】
図４を参照しながら、アプリケーション起動後における、患者用端末１およびサーバ装置３のそれぞれの処理を示すステップＳ１０１〜Ｓ１０９、およびＳ１１１〜Ｓ１１４について説明すれば以下の通りである。
【００８８】
アプリケーションが起動されると、患者用端末１の制御部１３は、本起動が初回起動であるか否かを判定する（ステップＳ１０１）。
【００８９】
本起動が初回起動であると判定した場合、患者用端末１の入力部１２は、操作装置７の操作によるユーザからのユーザ情報の入力を受け付ける（ステップＳ１０２）。あるいは、ステップＳ１０２において、外部機器が保有するユーザ情報の入力を受け付けるものであってもよい。ユーザ情報としては、性別、生年月日および身長などの個人データ、ならびにダイエット目標値などのアプリケーション依存データが挙げられる。入力部１２がユーザ情報の入力を受け付けると、制御部１３がそのユーザ情報を記憶部１４のユーザ情報蓄積エリアに記憶させて、保存する（ステップＳ１０３）。
【００９０】
次いで、操作装置７の操作によるユーザからの機器情報の入力を受け付ける（ステップＳ１０４）。機器情報としては、センシング装置２の製造メーカー、機器名称およびセンシング装置２の設置場所などが挙げられる。あるいはステップＳ１０４において、通信部１１を介して、ネットワーク接続によりセンシング装置２から機器情報を自動的に取得するものであってもよい。入力部１２が機器情報の入力を受け付けるか、通信部１１が機器情報を取得すると、制御部１３がその機器情報を記憶部１４の機器情報蓄積エリアに記憶させて、保存する（ステップＳ１０５）。なお、ユーザ情報および機器情報の取得は上述の順序に限らず、機器情報を取得した後で、ユーザ情報を取得してもよい。
【００９１】
次いで通信部１１は、記憶部１４に記憶されたユーザ情報および機器情報などの設定情報をサーバ装置３に送信する（ステップＳ１０６）。通信部１１は、ＡＣＫ／ＮＡＣＫの受信によって送信完了が確認されない場合には、再送信を行う。
【００９２】
なお、遠隔診療用アプリケーションの起動が初回起動でないと判定された場合であっても、ユーザ情報の変更がある場合、または新しくセンシング装置２の機器情報を追加する場合などは、遠隔診療用アプリケーション起動時であれば、入力を受け付けることができる（ステップＳ１０９のＹｅｓ）。
【００９３】
サーバ装置３では、通信部３１が患者用端末１から送信されたユーザ情報および機器情報などの設定情報を受信する（ステップＳ１１１）。この受信に応じてサーバ装置３の制御部３３が記憶部３４にユーザのレコードエリアを作成し、通信部３１が受信したユーザ情報および機器情報をこのレコードエリアに格納してデータベースを構築する（ステップＳ１１２）。
【００９４】
次いで、制御部３３は、他ユーザのユーザ情報との識別のために、このユーザに対するＩＤおよびこのＩＤに対するパスワードを生成（発行）する（ステップＳ１１３）。ＩＤおよびパスワードの情報は、ユーザ情報などと関連付けられて記憶部３４に記憶される。制御部３３は、このＩＤおよびパスワードの情報を通信部３１に出力する。通信部３１は、これらの情報を患者用端末１に送信する（ステップＳ１１４）。
【００９５】
患者用端末１の通信部１１は、ユーザ情報などをサーバ装置３に送信した後、サーバ装置３が生成するＩＤおよびパスワードの情報をサーバ装置３から受信する（ステップＳ１０７）。ＩＤおよびパスワードの情報が表示部１５に出力されると、表示部１５はＩＤおよびパスワードをディスプレイ８に表示させる表示用データを作成し、ＩＤおよびパスワードをディスプレイ８に表示させることによってユーザに提示する（ステップＳ１０８）。これにより、初期設定が完了する。なお、受信したＩＤおよびパスワードを記憶部１４に記憶させて、ユーザに提示しない場合もあり得る。この場合のＩＤおよびパスワードの利用方法は後述する。
【００９６】
以降、ユーザは、遠隔診療システム１００による遠隔診療サービスを利用することができる。
【００９７】
ユーザが遠隔診療用アプリケーションを起動した際、この起動が初回起動でなく、さらにユーザ情報および機器情報の追加および変更がない場合には、患者用端末１は、初期設定の処理を終了する（ステップＳ１０９のＮｏ）。
【００９８】
＜生体情報の取得およびサーバ装置への格納処理＞
次に、患者用端末１における生体情報の取得およびサーバ装置３への格納処理について図５を参照して説明する。図５は、遠隔診療システム１００の遠隔診療前における処理の流れを示すシーケンス図である。
【００９９】
ユーザは、まず、患者用端末１の遠隔診療用アプリケーションを起動する。なお、上記初期設定に続けて本処理を行う場合には、改めてアプリケーションを起動することは不要である。
【０１００】
図５を参照しながら、アプリケーション起動後における、患者用端末１、センシング装置２およびサーバ装置３のそれぞれの処理を示すステップＳ２０１〜Ｓ２０７、Ｓ２１１〜Ｓ２１２、およびＳ２２１〜Ｓ２２４について説明すれば以下の通りである。
【０１０１】
患者用端末１の入力部１２は、操作装置７の操作によるユーザからのＩＤおよびパスワードによる認証情報の入力を受け付ける（ステップＳ２０１）。入力部１２は受け付けた認証情報を通信部１１に出力する。通信部１１は、この認証情報をサーバ装置３に送信する（ステップＳ２０２）。なお、ＩＤおよびパスワードがユーザに提示されないシステムの場合には、アプリケーション起動後に、制御部１３が記憶部１４に記憶されているＩＤおよびパスワードを自動で抽出して、抽出されたＩＤおよびパスワードを通信部１１がサーバ装置３に送信する構成とすればよい。図５には示していないが、ステップＳ２０２の後に、設定情報の変更をしたり、新しいセンシング装置２を登録したりすることも可能である。
【０１０２】
通信部１１が認証情報をサーバ装置３に送信すると、患者用端末１の入力部１２は、操作装置７の操作によるユーザからの生体情報の入力を受け付ける（ステップＳ２０３）。生体情報の入力を受け付けると、制御部１３は、入力部１２が受け付けた生体情報を、患者用端末１の記憶部１４の生体情報蓄積エリアに記憶させて、保存する（ステップＳ２０４）。このとき、制御部１３は、入力部１２が受け付けた生体情報であることを示すパラメータをこの生体情報に付随させて、記憶させる。
【０１０３】
さらに患者用端末１は、センシング装置２から生体情報を取得する。
【０１０４】
センシング装置２では、まず、センシング装置２の測定部２３が患者の心拍数および血圧値などの生体情報を検出して測定する（ステップＳ２１１）。測定部２３は測定して得られた生体情報をセンシング装置２の通信部２１に出力する。通信部２１は、この生体情報を患者用端末１に送信する（ステップＳ２１２）。なお、センシング装置２は、生体情報を得る毎にその生体情報を患者用端末１に送信してもよいし、得られた生体情報をセンシング装置２の記憶部に記憶しておき、データが一定量蓄積してから患者用端末１に送信してもよい。
【０１０５】
患者用端末１では、通信部１１がセンシング装置２から送信される生体情報を受信する（ステップＳ２０５）。通信部１１が生体情報を受信すると、制御部１３は、通信部１１が受信した生体情報を、患者用端末１の記憶部１４の生体情報蓄積エリアに記憶させて、保存する（ステップＳ２０６）。このとき、制御部１３は、通信部１１によって取得された生体情報であることを示すパラメータをこの生体情報に付随させて、記憶させる。
【０１０６】
なお、入力部１２を介しての生体情報の取得および通信部１１を介しての生体情報の取得は上述の順序に限らず、通信部１１を介してセンシング装置２から生体情報を取得した後に、入力部１２がユーザからの生体情報の入力を受け付けてもよいし、入力部１２がユーザからの生体情報の入力を受け付けると同時に、通信部１１がセンシング装置２から生体情報を受信してもよい。また、入力部１２を介しての生体情報の取得および通信部１１を介しての生体情報の取得の何れか一方のみが行われるものであってもよい。
【０１０７】
患者用端末１では、通信部１１が、記憶部１４の生体情報蓄積エリアに記憶された生体情報をサーバ装置３に送信する（ステップＳ２０７）。このとき、各生体情報には、上述のパラメータがそれぞれ付随している。
【０１０８】
サーバ装置３では、患者用端末１から送信されるＩＤおよびパスワードの認証情報を通信部３１が受信すると（ステップＳ２２１）、解析部３２が、記憶部３４に記憶されているＩＤおよびパスワードを参照して、受信した認証情報の認証を行う（ステップＳ２２２）。次いで、患者用端末１から送信される生体情報を通信部３１が受信すると（ステップＳ２２３）、制御部３３は、受信した生体情報を、認証されたＩＤに対応するデータベースに格納して、保存させる（ステップＳ２２４）。
【０１０９】
以上により、ユーザの生体情報がサーバ装置３に格納される。
【０１１０】
本実施の形態においては、サーバ装置３にデータを送信する際に、患者用端末１ではＩＤおよびパスワードの入力を受け付け、これらをサーバ装置３に送信して、サーバ装置３で認証を行っているが、適宜省略してもよい。また、後述する診療結果の情報を取得するためのデータ要求の送信に際して、ＩＤおよびパスワードによる認証を行ってもよいが、こちらも省略可能である。
【０１１１】
＜サーバ装置に格納された生体情報の専門家用表示装置への出力処理＞
専門家が患者を診断する際の、遠隔診療システム１００を利用した処理について図６および図７を参照して説明する。図６および図７はそれぞれ、患者用端末１およびサーバ装置３における処理の流れを示すシーケンス図、ならびに、専門家用表示装置４およびサーバ装置３における処理の流れを示すシーケンス図である。
【０１１２】
まず、患者用端末１における処理および患者用端末１とサーバ装置３との間での処理について、図６を参照して説明する。まず初めに患者は患者用端末１の遠隔診療用アプリケーションを起動する。なお、上述した生体情報の取得に続けて処理を実行する場合には、再度のアプリケーションの起動は不要である。この遠隔診療用アプリケーションが起動されると、図６に示す各処理が実行される。
【０１１３】
図６を参照しながら、アプリケーション起動後における、患者用端末１およびサーバ装置３のそれぞれの処理を示すステップＳ３１１〜Ｓ３１６、およびステップＳ３０１〜ステップＳ３０６について説明すれば以下の通りである。
【０１１４】
患者用端末１では、ディスプレイ８に表示させるためのデータを取得するために、通信部１１がサーバ装置３にデータ要求を送信する（ステップＳ３１１）。
【０１１５】
サーバ装置３では、通信部３１が患者用端末１から送信されたデータ要求を受信する（ステップＳ３０１）。データ要求を受信すると、サーバ装置３の制御部３３は、記憶部３４のデータベースに接続して、要求に応じたデータをデータベースから抽出する（ステップＳ３０２）。通信部３１は、抽出されたデータを患者用端末１に送信する（ステップＳ３０３）。
【０１１６】
患者用端末１では、通信部１１が、データ要求に応じてサーバ装置３から送信されたデータを受信して、表示部１５に出力する（ステップＳ３１２）。表示部１５は、通信部１１が受信したデータをディスプレイ８が表示可能な形式でディスプレイ８に出力する（ステップＳ３１３）。ディスプレイ８には、このデータに基づき、測定した生体情報、履歴グラフ、生体情報の解析結果、および専門家からのアドバイスなどの患者向けの情報が表示される。これにより、患者は、ディスプレイ８に表示された映像を閲覧しながら、遠隔診療を受けることができる。
【０１１７】
ディスプレイ８に表示用のデータを出力した後も、患者用端末１では、新着データの有無をサーバ装置３に定期的に確認する。そのため、患者用端末１では、新着データを取得するためにサーバ装置３にデータ要求を送信する（ステップＳ３１４）。通信部１１がサーバ装置３から新着データを受信して（ステップＳ３１５のＹｅｓ）、表示部１５に出力すると、表示部１５は、そのデータをディスプレイ８に表示可能な形式で出力する（ステップＳ３１３）。一方、新着データがサーバ装置３になかった場合（ステップＳ３１５のＮｏ）、患者用端末１では、処理を終了するか否かをユーザに確認する（ステップＳ３１６）。処理終了をユーザが選択しなかった場合（ステップＳ３１６のＮｏ）には、通信部１１は、再度、サーバ装置３にデータ要求を送信する（ステップＳ３１４）。処理終了をユーザが選択した場合（ステップＳ３１６のＹｅｓ）、サーバ装置３からのデータの取得を終了する。
【０１１８】
次に、専門家用表示装置４における処理および専門家用表示装置４とサーバ装置３との間での処理について、図７を参照して説明する。まず初めに専門家は専門家用表示装置４の遠隔診療用アプリケーションを起動する。このアプリケーションが起動されると、図７に示す各処理が実行される。
【０１１９】
図７を参照しながら、アプリケーション起動後における、専門家用表示装置４およびサーバ装置３のそれぞれの処理を示すステップＳ３２１〜Ｓ３２６、およびステップＳ３４１〜Ｓ３４６について説明すれば以下の通りである。
【０１２０】
アプリケーションが起動されると、専門家用表示装置４は、患者一覧画面をディスプレイ１０に表示させる。専門家は、患者一覧画面から診療したい患者を選択する。専門家用表示装置４の通信部４１は、専門家の選択に基づき、特定の患者に対するデータ要求をサーバ装置３に送信する（ステップＳ３２１）。
【０１２１】
サーバ装置３では、通信部３１が専門家用表示装置４から送信されたデータ要求を受信する（ステップＳ３４１）。データ要求を受信すると、サーバ装置３の制御部３３は、記憶部３４のデータベースに接続して、データベースから要求に応じたデータを抽出する（ステップＳ３４２）。通信部３１は、抽出されたデータを専門家用表示装置４に送信する（ステップＳ３４３）。
【０１２２】
専門家用表示装置４では、通信部４１が、医療機関からの電子カルテ情報に加え、サーバ装置３から、患者の生体情報および患者宅の環境情報などを受信する（ステップＳ３２２）。なお、医療機関からの電子カルテ情報は、専門家用表示装置４と同一の端末から送信されてもよいが、医療機関にある電子カルテ等の医療情報格納サーバおよび専門家用表示装置４とは別の専門家用表示装置から送信されてもよい。表示部４５は、受信したデータをディスプレイ１０が表示可能な形式でディスプレイ１０に出力する（Ｓ３２３）。このとき、各生体情報に付随しているパラメータを参照して、ユーザが入力した生体情報であるか、センシング装置２から直接取得した生体情報であるかを判定し、その判定結果に基づいてそれぞれの区別をつけたデータをディスプレイ１０に出力する。ディスプレイ１０には、このデータに基づき、患者が測定した生体情報、履歴グラフ、患者向け画面において表示されている情報、および電子カルテなどの専門家向けの情報が表示される。患者が測定した生体情報および履歴グラフなどでは、ユーザが入力した生体情報であるか、センシング装置２から直接取得した生体情報であるかの区別がつくように表示される。これにより、専門家は、ディスプレイ１０に表示された情報を閲覧しながら、遠隔診療を行うことができる。ここで、区別がつくように表示とは、例えば上述のように、表示画面における色を変化させたり、プロットの種類を変化させたりしてそれぞれの生体情報を表示させるものである。
【０１２３】
ディスプレイ１０にデータを出力した後も、専門家用表示装置４では、新着データの有無をサーバ装置３に定期的に確認する。そのため、専門家用表示装置４では、新着データを取得するためにサーバ装置３にデータ要求を送信する（ステップＳ３２４）。通信部４１がサーバ装置３から新着データを受信して（ステップＳ３２５のＹｅｓ）、表示部４５に出力すると、表示部４５は、受信したデータをディスプレイ１０にディスプレイ１０が表示可能な形式で出力する（ステップＳ３２３）。一方、新着データがサーバ装置３になかった場合（ステップＳ３２５のＮｏ）、専門家用表示装置４では、処理を終了するか否かをユーザに確認する（ステップＳ３２６）。処理終了をユーザが選択しなかった場合（ステップＳ３２６のＮｏ）には、通信部４１は、再度、サーバ装置３にデータ要求を送信する（ステップＳ３２４）。
【０１２４】
遠隔診療システム１００における各端末は、遠隔診療が終了するまで（ステップＳ３１６のＹｅｓ、ステップＳ３２６のＹｅｓ）、以上の処理を繰り返し実行する。
【０１２５】
＜診療結果のサーバ装置への格納処理および患者用端末への通知処理＞
次に、専門家が行った診療の診療結果のサーバ装置３への格納処理および患者用端末１への通知処理について、図８を参照して説明する。図８は、遠隔診療システム１００の遠隔診療において患者に診療結果を通知する際の、患者用端末１、サーバ装置３および専門家用表示装置４における処理の流れを示すシーケンス図である。
【０１２６】
図８を参照しながら、患者用端末１、サーバ装置３および専門家用表示装置４のそれぞれの処理を示すステップＳ４２１〜Ｓ４２３、ステップＳ４１１〜Ｓ４１４、およびステップＳ４０１〜Ｓ４０３について説明すれば以下の通りである。
【０１２７】
まず、専門家は、専門家用表示装置４の遠隔診療用アプリケーションを利用して、対象の患者を診療する。専門家は、専門家用表示装置４の操作装置９を操作して診療結果を入力する。専門家用表示装置４では、入力部４２が専門家からの入力を受け付ける（ステップＳ４０１）。制御部４３は、入力部４２が受け付けた診療結果の情報を記憶部４４に格納する（ステップＳ４０２）。通信部４１は、記憶部４４に記憶された診療結果の情報をサーバ装置３に送信する（ステップＳ４０３）。
【０１２８】
サーバ装置３では、通信部３１が専門家用表示装置４から送信された診療結果の情報を受信する（ステップＳ４１１）。制御部３３は受信した情報を記憶部３４のデータベースに格納する（ステップＳ４１２）。サーバ装置３では、通信部３１が患者用端末１からデータ要求を受信すると（ステップＳ４１３）、要求に応じた診療結果の情報をデータベースから抽出して、通信部３１を介して、患者用端末１に送信する（ステップＳ４１４）。
【０１２９】
患者用端末１では、診療結果の情報を取得するために、通信部１１がデータ要求をサーバ装置３に送信する（ステップＳ４２１）。データ要求後、通信部１１は、サーバ装置３からデータ要求に基づき送信される診療結果の情報を受信し、表示部１５に出力する（ステップＳ４２２）。表示部１５はその情報をディスプレイ８が表示可能な形式で、ディスプレイ８に出力し、ディスプレイ８に診療結果の情報を表示させる（ステップＳ４２３）。
【０１３０】
以上のようにして、ユーザ（患者）は、在宅で取得した生体情報に基づいて専門家が診療した結果を閲覧することができる。また、この診療では、専門家が各生体情報の信頼性を考慮できるものである。したがって、その診療結果もより信頼の高いものとなり得る。
【０１３１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３２】
最後に、患者用端末１および専門家用表示装置４に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１３３】
すなわち患者用端末１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１３４】
この構成により、本発明の目的は、所定の記録媒体によっても達成できる。この記録媒体は、上述した機能を実現するソフトウェアである患者用端末１または専門家用表示装置４の制御プログラムのプログラムコード（実行形式プログラム、中間コードプログラム、ソースプログラム）をコンピュータで読み取り可能に記録していればよい。患者用端末１または専門家用表示装置４にこの記録媒体を供給する。これにより、コンピュータとしての患者用端末１または専門家用表示装置４（またはＣＰＵやＭＰＵ）が、供給された記録媒体に記録されているプログラムコードを読み出し、実行すればよい。
【０１３５】
プログラムコードを患者用端末１または専門家用表示装置４に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１３６】
また患者用端末１または専門家用表示装置４は、通信ネットワークと接続可能に構成しても、本発明の目的を達成できる。この場合、上記のプログラムコードを、通信ネットワークを介して患者用端末１または専門家用表示装置４に供給する。この通信ネットワークは、患者用端末１または専門家用表示装置４にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１３７】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３８】
本発明は、一般家庭のようなパーソナライズな空間と病院のような医療機関との間において、患者と専門家に遠隔診療用アプリケーションを提供する遠隔診療システムに広く利用可能である。
【符号の説明】
【０１３９】
１    患者用端末（生体情報処理装置）
２    センシング装置（測定装置）
３    サーバ装置
４    専門家用表示装置（生体情報表示装置）
１１    通信部（情報取得手段、送信手段）
１２    入力部（入力受付手段）
１３    制御部（処理手段）
１４、２２、３４、４４    記憶部
２１、３１    通信部
２３    測定部
３２    解析部
３３    制御部
４１    通信部（受信手段）
４２    入力部
４３    制御部（判定手段）
４５    表示部（表示手段）
１００    遠隔診療システム
【図１】
2012008931.tif 000003
【図２】
2012008931.tif 000004
【図３】
2012008931.tif 000005
【図４】
2012008931.tif 000006
【図５】
2012008931.tif 000007
【図６】
2012008931.tif 000008
【図７】
2012008931.tif 000009
【図８】
2012008931.tif 000010